【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
受け孔を有する複数の略同心の軸方向に延びるチューブを備えるＭＲＩ適合カニューレと、
前記カニューレと協働してＭＲＩ受信アンテナを形成するために該カニューレの孔を通じてスライド可能に前進するように構成された導体及び絶縁層を備えるコアを有する細長いアンテナ部材と、
を備える生体内脳深部医用プローブシステム。
【請求項２】
前記ＭＲＩ適合カニューレを通じてスライド可能に延びるように構成されたＭＲＩ適合介入プローブ部材を更に備え、
前記細長いアンテナ部材は、中心導体と、その先端部に配置された少なくとも１つの記録電極とを備える請求項１に記載のプローブシステム。
【請求項３】
ＭＲＩ励起ＲＦ送信中に前記ＭＲＩ受信アンテナを絶縁するように構成されたＲＦデカップリング回路と、前記記録モード中に前記ＭＲＩ受信アンテナを切り離すための記録スプリッタ回路とを更に備え、
前記アンテナ部材が局部組織からＭＲＩ信号を受ける第１のＭＲＩ信号動作モードと、前記記録電極が局部の標的組織から電気信号を得る第２の動作記録信号モードとを含む少なくとも２つの動作モードを有する請求項２に記載のプローブシステム。
【請求項４】
前記アンテナ部材は、前記カニューレと電気的に協働して、ループレスＭＲＩアンテナを形成する請求項２に記載のプローブシステム。
【請求項５】
前記カニューレは、中間管状部材と、該中間部材の少なくとも主要な長さをほぼ包み込む外側部材とを備え、前記アンテナ部材が第１の長さを有し、前記中間部材が第２の長さを有し、前記外側部材が第３の長さを有し、第１の長さが第２及び第３の長さよりも長く、第２の長さが第３の長さよりも長い請求項１に記載のプローブシステム。
【請求項６】
前記アンテナ部材が前記カニューレから取り除かれた後に該カニューレの孔を通じてスライド可能に延びるように寸法付けられて構成された埋め込み可能な刺激リードと組み合わせられる請求項１に記載のプローブシステム。
【請求項７】
前記アンテナ部材は、中空のコアを備え、選択された介入デバイスを該コアを通じてスライド可能に受けるように構成された請求項１に記載のプローブシステム。
【請求項８】
対向する基端部及び先端部を有し、先端部に配置された少なくとも１つの記録電極を備えるとともに、そのコア内に配置された少なくとも１つの軸方向に延びる導体および該導体の長さの少なくとも主要な部分にわたって延びる長さを有する軸方向に延びる絶縁層を備える柔軟な細長い内側部材本体と、
前記内側部材に対して高い剛性を有し、柔軟な該内側部材をスライド可能に挿通して受けるように寸法付けられて構成されるとともに、前記内側部材と協働してＭＲＩアンテナを形成するカニューレ部材と、
前記内側部材と通信するとともに、ＭＲＩ  ＲＦ励起送信中にＭＲＩアンテナを切り離すように構成されたＲＦ送信デカップリング回路と、
前記内側部材と通信するとともに、記録回路をＭＲＩイメージング回路から電気的に絶縁するスプリッタ回路と、
を備えるＭＲＩ適合脳深部案内・記録プローブシステム。
【請求項９】
前記記録電極又は前記ＭＲＩアンテナを選択的に動作させるために、ＭＲＩスキャナ及び記録回路に取り付くように構成され、前記デカップリング回路は、ＲＦ送信中にＭＲＩスキャナと関わって前記アンテナを切り離すマッチング・チューニングデカップリング回路を備え、かつ、第１及び第２の動作モードに関連する選択作動する第１及び第２の電気送信経路をそれぞれ有し、前記第１の送信経路は、ＭＲＩ動作中に前記ＭＲＩアンテナとＭＲＩスキャナとを接続して電極を切り離し、前記第２の送信経路は、電気的な記録中に前記電極と記録源とを接続する請求項８に記載のシステム。
【請求項１０】
前記細長い部材が中空コアあるいは略中実のコアを有し、前記導体が前記コア内の略中心に保持されている請求項８に記載のシステム。
【請求項１１】
（ａ）対向する先端部及び基端部を有し、導体を有するコアを備える細長い滅菌されたバイオ・ＭＲＩ適合内部ＭＲＩ−アンテナプローブ部材と、
（ｂ）少なくとも２つの略同心の管状部材を備え、細長いＭＲＩアンテナプローブを内部にスライド可能に受けるように寸法付けられて構成された略硬質なカニューレと、
を備え、
動作時、ＭＲＩアンテナプローブリードがカニューレと協働して内部ＭＲＩアンテナを形成する医療用キット。
【請求項１２】
前記アンテナプローブ部材は、前記導体と通信し且つ前記プローブの先端に存在する少なくとも１つの記録電極を備える請求項１１に記載のキット。
【請求項１３】
前記導体は、前記内側部材の前記コアの略中心に存在する請求項１２に記載のキット。
【請求項１４】
前記アンテナ部材の前記コアが中空である請求項１１に記載のキット。
【請求項１５】
前記カニューレの軸方向に延びる孔を通じてスライド可能に延びるように寸法付けられて構成された埋め込み可能な柔軟な細長い刺激プローブを更に備える請求項１１に記載のキット。
【請求項１６】
軸方向に延びる孔を有するＭＲＩ適合カニューレと、
少なくとも１つの記録電極をその先端により保持する細長い柔軟なアンテナプローブと、  を備え、
前記プローブは、前記カニューレの孔を通じてスライド可能に延びるように構成され、動作時に、前記カニューレ及び前記アンテナプローブが電気的に協働して少なくとも１つの脳深部ＭＲＩ受信アンテナの構成要素を形成するＭＲＩアンテナ・記録電極プローブシステム。
【請求項１７】
前記ＭＲＩアンテナプローブ及び前記カニューレは、内側導電コア上にわたって配置された軸方向に延びるシールドを形成するように構成された複数の略同心の管状部材を形成し、前記シールド及びコアが互いに絶縁されている請求項１６に記載のＭＲＩアンテナプローブシステム。
【請求項１８】
前記カニューレは、前記ＭＲＩアンテナプローブと協働してＭＲＩ位置案内のためのＭＲＩ信号を得るように構成されたＭＲＩ受信アンテナを形成する導電シールド層を備え、動作時、前記アンテナプローブは、前記カニューレから取り除かれ、その後に前記アンテナプローブと同じ位置まで挿入される刺激プローブに取って代えられる請求項１６に記載のＭＲＩアンテナプローブシステム。
【請求項１９】
対向する基端部及び先端部を有し、そのコア内に少なくとも１つの光ファイバを備える柔軟な細長い内側部材と、
内側部材に対して高い剛性を有し、柔軟な内側部材をスライド可能に挿通して受けるように寸法付けられて構成されるとともに、内側部材と協働してＭＲＩアンテナを形成するカニューレ部材と、
内側部材と通信するとともに、ＭＲＩ  ＲＦ励起送信中にＭＲＩアンテナを切り離すように構成されたＲＦ送信デカップリング回路と、
を備えるＭＲＩ適合脳深部プローブシステム。
【請求項２０】
前記光ファイバがコアを形成し、該光ファイバがＭＲＩ適合導電材料でコーティングされている請求項１９に記載のＭＲＩ適合システム。
【請求項２１】
前記内側部材の基端部に配置され、前記光ファイバコアを２つの光路に分ける光ファイバスプリッタと、入力光源に接続するようになっている入力経路と、スペクトロメータに接続するようになっている出力経路とを更に備える請求項１９に記載のＭＲＩ適合システム。
【請求項２２】
前記細長い内側部材は、前記カニューレと協働して、ＭＲＩ受信アンテナ及びＮＩＲイメージング部材を形成する請求項１９に記載のＭＲＩ適合システム。
【請求項２３】
前記コアが（ａ）略中実あるいは（ｂ）略中空である請求項１９に記載のＭＲＩ適合システム。
【請求項２４】
前記カニューレが複数の略同心の管状部材を備える請求項１９に記載のＭＲＩ適合システム。